(57)【特許請求の範囲】
【請求項１】
複数枚のシートが剥離可能な接着手段を介して積層して貼り合わされ、最下位のシートが該シートの裏面に設けられた粘着手段を介して剥離紙に剥離可能に貼り合わされてなる積層帳票であって、
最上位のシートから前記剥離紙裏面までに達する深さにして穿設されたミシン目を有し、前記剥離紙のミシン目における各切れ目の長さが前記シートのミシン目における各切れ目の長さより短く設けられて、前記剥離紙のミシン目の切れ目に積層方向にして切れ目位置が重なっている前記各シートのミシン目の切れ目の長さが、最下位のシートのミシン目の切れ目から最上位のシートのミシン目の切れ目にかけて順に長く、
かつ、前記剥離紙のミシン目における各つなぎの長さが前記シートのミシン目における各つなぎの長さより長く設けられて、剥離紙のミシン目のつなぎに積層方向にしてつなぎ位置が重なっている前記各シートのミシン目のつなぎの長さが、最上位のシートのミシン目のつなぎから最下位のシートのミシン目のつなぎにかけて順に長くなっていることを特徴とするミシン目を有する積層帳票。
【発明の詳細な説明】
【０００１】
【発明の属する技術分野】
本発明はミシン目を有する積層帳票に関するものである。
【０００２】
【発明が解決しようとする課題】
従来、ハンディーターミナルなどのような携帯端末には小形のプリンタ装置が設けられているものがあり、このプリンタ装置を使用して携帯端末による情報出力を行う場合に使用される帳票においては、タック紙のように剥離紙の上に粘着剤を介してシートが剥離可能に貼り合わされたものが使用されており、シート自体としては携帯端末に多く組み付けられているサーマル形式のプリント出力方法に応じて感熱式の用紙が採用されている。また、帳票の形態としては連続的にプリンタ装置に送り込めるように複数単位が連続した帯状にして折り畳まれたり巻き取られたりしているとともに、一単位での帳票におけるシートが剥離紙からはぎ取りし易くするために、一単位のシートの四周辺をカス取りしている。
しかしながら、全体としては連続でありながら一単位ごとに前記シートが独立してその長さ方向に不連続であるため、プリンタ装置内での曲がり部分を通るなどのときに剥離紙からシートが剥離して、プリンタ装置内で詰まりを生じさせ易いという不都合がある。この対策としては前記シートも帳票の長さ方向に帯状とし一単位ごとに切り取りミシン目を剥離紙裏面までに達する深さで穿設させることが考えられるが、単位帳票ごとの不用意な分離を生じさせない切り取りミシン目を選択して穿設されるため、さらには、ジグザグ状に折り畳まれたときにも切れを生じさせないようにするために、そのミシン目における切れ目と切れ目との間のつなぎが比較的長くなっており、情報出力した後に一単位ごとに前記シートをはぎ取ろうとしても切り取りミシン目からの分離が簡単には行えなくなる。
このような問題は一単位ごとに帳票を分離するための切り取りミシン目に限られず、複数面取りした状態で複数本ごとの切り取りミシン目を折り目にして活用する場合において、一折り長中の分割線（中間ミシン目）としてこの切り取りミシン目を穿設する場合にも生じる。
そこで本発明は上記事情に鑑み、必要時におけるシートのはぎ取りが簡単に行えるとともに、プリンタ装置内などでの用紙送りの際にはシートの剥離が生じないようにすることを課題とし、帳票の取り扱いを容易にすることを目的とする。
【０００３】
【課題を解決するための手段】
本発明は上記課題を考慮してなされたもので、複数枚のシートが剥離可能な接着手段を介して積層して貼り合わされ、最下位のシートが該シートの裏面に設けられた粘着手段を介して剥離紙に剥離可能に貼り合わされてなる積層帳票であって、最上位のシートから前記剥離紙裏面までに達する深さにして穿設されたミシン目を有し、前記剥離紙のミシン目における各切れ目の長さが前記シートのミシン目における各切れ目の長さより短く設けられて、前記剥離紙のミシン目の切れ目に積層方向にして切れ目位置が重なっている前記各シートのミシン目の切れ目の長さが、最下位のシートのミシン目の切れ目から最上位のシートのミシン目の切れ目にかけて順に長く、かつ、前記剥離紙のミシン目における各つなぎの長さが前記シートのミシン目における各つなぎの長さより長く設けられて、剥離紙のミシン目のつなぎに積層方向にしてつなぎ位置が重なっている前記各シートのミシン目のつなぎの長さが、最上位のシートのミシン目のつなぎから最下位のシートのミシン目のつなぎにかけて順に長くなっていることを特徴とするミシン目を有する積層帳票を提供して、上記課題を解消するものである。
【０００４】
【発明の実施の形態】
つぎに本発明を図示の実施の形態に基づいて詳細に説明する。
図中１は積層帳票で、該積層帳票１は一単位の帳票２が切り取りミシン目３を介して連接されているものであり、さらに一単位の前記帳票２中においても分割線として前記切り取りミシン目３が穿設され、一単位の帳票２を二面付けの形式としているものである。
この積層帳票１においては、上下二枚のシート４、５が剥離可能な接着手段６を介して積層して貼り合わされ、下位のシート５が該シート５の裏面に設けられた粘着手段７を介して剥離紙８に剥離可能に貼り合わされてなるものであり、前記シート４、５にあっては例えば感熱形式の用紙から形成されている。上記切り取りミシン目３にあっては、図２に示されているように、上位のシート４から剥離紙８の裏面までに達する深さにして穿設されている。そして、上下のシート４、５と剥離紙８との切り取りミシン目３それぞれでは切れ目９とこの切れ目９の間のつなぎ１０とが交互に形成されているが、前記剥離紙８の切り取りミシン目３における各切れ目９の長さがシート５における各切れ目９の長さより短く設けられ、さらに、シート４の各切れ目９の長さがシート５の切れ目９の長さより長く設けられ、上下に重なる各切れ目９の一端側が上下方向に揃うようにして入れられている。即ち、図２に示されているように、剥離紙８の切り取りミシン目３の切れ目９に積層方向にして切れ目位置が重なっているシート４、５の切り取りミシン目３の切れ目９の長さが、最下位のシート５の切り取りミシン目３の切れ目９から最上位のシート４の切り取りミシン目３の切れ目９にかけて順に長く設けられている。そして、剥離紙８の切り取りミシン目３における各つなぎ１０の長さが前記シート４、５の切り取りミシン目３における各つなぎ１０の長さより長く設けられて、剥離紙８の切り取りミシン目３のつなぎ１０に積層方向にしてつなぎ位置が重なっている各シート４、５の切り取りミシン目３のつなぎ１０の長さが、最上位のシート４の切り取りミシン目３のつなぎ１０から最下位のシート５の切り取りミシン目３のつなぎ１０にかけて順に長く設けられている。
このように切り取りミシン目３を間にして連続するシート相互、剥離紙相互の繋がり力は剥離紙において一番強く、そのづきにシート５が強くなり、シート４での繋がり力が一番弱いものとなっている。勿論、シート４、５も積層帳票の長さ方向に切り取りミシン目３を介して連接されるため、不用意に分断されるものではなく、プリンタ装置内を通るときにもシート４、５の間での剥離や剥離紙８からの剥離は生じない。また、必要時にシート４や５をはぎ取る場合、前述したように剥離紙８の切り取りミシン目を介しての繋がり力ほどにはこのシート４、５における切り取りミシン目を介しての繋がり力が強くないため、シート４、５の切り取りミシン目３の箇所での切断が容易に行え、さらに、シート４と５とでの繋がり力の差を利用してシート５の連接状態を維持させたまま、上位のシート４のみの切断を行うこともできる。
【０００５】
図３は上記切り取りミシン目３を穿設するミシン刃１１を示している。このミシン刃１１は、上記剥離紙８における切れ目９を入れる各刃１２の長さ１２ａが、シート５における切れ目９を入れる各刃１３の長さ１３ａより短く設けられ、シート４における切れ目９をいれる各刃１４の長さ１４ａが前記刃１３の長さ１３ａより長く設けられており、前記刃１２、１３、１４の一端側を揃えた段階状としている。このようにした構造のミシン刃１１によって上述の切り取りミシン目３が穿設できる。ミシン刃１１は図３に示したものに限定されるものではなく、図４に示すように、上下方向の各刃１２、１３、１４の重なり形態が山形状となるようにしてもよい。
【０００６】
【発明の効果】
以上説明したように、本発明によれば、複数枚のシートが剥離可能な接着手段を介して積層して貼り合わされ、最下位のシートが該シートの裏面に設けられた粘着手段を介して剥離紙に剥離可能に貼り合わされてなる積層帳票であって、最上位のシートから前記剥離紙裏面までに達する深さにして穿設されたミシン目を有し、前記剥離紙のミシン目における各切れ目の長さが前記シートのミシン目における各切れ目の長さより短く設けられて、前記剥離紙のミシン目の切れ目に積層方向にして切れ目位置が重なっている前記各シートのミシン目の切れ目の長さが、最下位のシートのミシン目の切れ目から最上位のシートのミシン目の切れ目にかけて順に長く、かつ、前記剥離紙のミシン目における各つなぎの長さが前記シートのミシン目における各つなぎの長さより長く設けられて、剥離紙のミシン目のつなぎに積層方向にしてつなぎ位置が重なっている前記各シートのミシン目のつなぎの長さが、最上位のシートのミシン目のつなぎから最下位のシートのミシン目のつなぎにかけて順に長くなっていることを特徴とするものであり、これによって、切り取りミシン目を介したシートの繋がり力が切り取りミシン目を介した剥離紙の繋がり力より弱くなり、剥離紙を分断させることなくシート自体のみを容易に剥離できるとともに、プリンタ装置での用紙送りに際してシートが切り取りミシン目の部分で繋がり状態を維持するため、積層帳票の用紙送りが適正に行われるようになるなど、実用性に優れた効果を奏するものである。
【図面の簡単な説明】
【図１】  積層帳票の一例を示す説明図である。
【図２】  切り取りミシン目を断面で示す説明図である。
【図３】  ミシン刃の一例を示す説明図である。
【図４】  ミシン刃の他の例を示す説明図である。
【符号の説明】
１…積層帳票
２…帳票
３…切り取りミシン目
４，５…シート
６…接着手段
７…粘着手段
８…剥離紙
９…切れ目
１０…つなぎ
１１…ミシン刃
【図１】
0003849051.tif 000002
【図２】
0003849051.tif 000003
【図３】
0003849051.tif 000004
【図４】
0003849051.tif 000005